(57)【要約】【課題】  ユーザ所望の映像・音声データで蓄積部に記録されるべき所定の第１の圧縮形式に変換されたものとは異なる所定の第２の圧縮形式に変換されたものが、別種類の記録媒体に短時間で記録できるようにする。【解決手段】  ユーザからTV放送番組のコンテンツデータの記録要求があると（S101でYES）記録モード設定画面でコンテンツデータをMPEG2-TS形式、MPEG2-PS形式で記録するモードを選択したかチェックする（S102）。MPEG2-PS形式での記録要求があると（S102でYES）コンテンツデータをMPEG2-TS形式とMPEG2-PS形式とに夫々変換した後、蓄積部２１に書き込む（S103）。MPEG2-PS形式での記録要求が無ければ（S102でNO）MPEG2-TS形式に変換した後のコンテンツデータだけを蓄積部２１に書き込む（S104）。【選択図】        図３
2006050150.tif 000002
【特許請求の範囲】
【請求項１】
入力した複数の映像・音声データのうちからユーザが所望する映像・音声データを抽出する映像・音声データ抽出部と、
前記映像・音声データ抽出部によって抽出された映像・音声データを、所定の第１の圧縮形式の映像・音声データに変換して出力する第１の映像・音声データ変換部と、
前記映像・音声データ抽出部によって抽出された映像・音声データを、前記第１の圧縮形式とは異なる所定の第２の圧縮形式の映像・音声データに変換して出力する第２の映像・音声データ変換部と、
前記第１の映像・音声データ変換部から出力される前記第１の圧縮形式の映像・音声データ、及び前記第２の映像・音声データ変換部から出力される前記第２の圧縮形式の映像・音声データを夫々蓄積するための映像・音声デ−タ蓄積部と、
を備える情報記録装置。
【請求項２】
請求項１記載の情報記録装置において、
前記第１の圧縮形式が、MPEG2-TS形式であり、
前記第２の圧縮形式が、MPEG2-PS形式である情報記録装置。
【請求項３】
請求項１記載の情報記録装置において、
前記第２の映像・音声データ変換部が、ユーザから前記第２の圧縮形式の映像・音声データの取得要求があった場合にのみ、該要求に応じて前記第２の圧縮形式の映像・音声データを出力するようにした情報記録装置。
【請求項４】
請求項１記載の情報記録装置において、
前記第２の圧縮形式の映像・音声データが、前記映像・音声データ蓄積部から前記映像・音声データ蓄積部よりも記憶容量の小さい、前記情報記録装置に対して着脱が自在な記録媒体に書き込まれるようにした情報記録装置。
【請求項５】
入力した複数の映像・音声データ中からユーザが所望する映像・音声データを抽出する映像・音声データ抽出部と、
前記映像・音声データ抽出部によって抽出された映像・音声データを、所定の第１の圧縮形式の映像・音声データに変換して出力する第１の映像・音声データ変換部と、
前記映像・音声データ抽出部によって抽出された映像・音声データを、前記第１の圧縮形式とは異なる所定の第２の圧縮形式の映像・音声データに変換して出力する第２の映像・音声データ変換部と、
前記第１の映像・音声データ変換部から出力される前記第１の圧縮形式の映像・音声データ、及び前記第２の映像・音声データ変換部から出力される前記第２の圧縮形式の映像・音声データを夫々蓄積するための映像・音声デ−タ蓄積部と、
前記映像・音声データ蓄積部に、前記第１の圧縮形式の映像・音声データ、及び前記第２の圧縮形式の映像・音声データの双方を蓄積可能な空き容量があるかどうかを検知する空き容量検知部と、
前記空き容量検知部が、前記映像・音声データ蓄積部に、前記空き容量が無いことを検知した場合に、ユーザが前記第１、第２の圧縮形式の映像・音声データの何れを所望しているかを判断する判断部と、
を備え、
前記判断部の判断結果に応じた圧縮形式の映像・音声データを、前記映像・音声データ蓄積部に蓄積すべく、前記第１の映像・音声データ変換部及び／又は前記第２の映像・音声データ変換部を制御するようにした情報記録装置。
【請求項６】
請求項５記載の情報記録装置において、
前記判断部が、ユーザが前記第１、第２の圧縮形式の映像・音声データの何れをも所望していないと判断した場合に、前記制御部が前記第１の映像・音声データ変換部を制御するようにした情報記録装置。
【請求項７】
請求項６記載の情報記録装置において、
前記第１の圧縮形式が、MPEG2-TS形式であり、
前記第２の圧縮形式が、MPEG2-PS形式である情報記録装置。
【発明の詳細な説明】
【技術分野】
【０００１】
本発明は、例えばディジタルTV放送番組のコンテンツデータの記録に好適な情報記録装置に関する。
【背景技術】
【０００２】
従来、情報記録技術の分野において、外部AV入力信号をMPEG-TSに符号化する際に、DVD規格準拠のMPEG-PSへ高速に変換することが可能な情報記録媒体、該情報記録媒体に情報を記録するための情報記録装置、及び情報記録方法が提案されている。ここで、AVとはAudio-Visualの、MPEG-TSとはMoving Picture Exparts-Groupe-Transport
Streamの、DVDとはDigital Versatile Diskの、（MPEG-PSの）PSとはProgram Streamの、夫々省略記載である（以下同じ）。この提案では、第１のストリーム（例えば、MPEG-TS）を、第２のストリ−ム（例えば、MPEG-PS）へ変換可能とする制限フォーマットで記録されたことを示すフラグ情報を管理情報（VOBI）に記録する。この管理情報（VOBI）を参照することにより、情報記録媒体に記録されたデータを解析することなく、記録データが該制限フォーマットで記録されたか否かを容易に認識できる（例えば特許文献１参照）。
【０００３】
【特許文献１】特開2003-228922号公報
【発明の開示】
【発明が解決しようとする課題】
【０００４】
近年、DVDやハードディスク（以下、「HD」と表記する）等に、テレビジョン（以下、「TV」と表記する）放送番組のコンテンツ情報（以下、「番組コンテンツ情報」と略記する）をMPEG2のデータ規格（データ形式）で記録することが可能な製品（情報記録装置）が普及している。上述したように、MPEG2のデータ規格（データ形式）には、マルチプログラム対応の多重・分離方式であるMPEG2-TS規格、及び１つのプログラム（映画・番組など）を基本的なパケットに多重化して時分割伝送するMPEG2-PS規格の２種類がある。MPEG2-TS規格は、主に複数の番組コンテンツ情報を伝送する放送システムやATM（Asynchronous Transfer Mode）等で利用され、その受信機（IRD）やディジタルのVTRシステムでも利用される。一方、MPEG2-PS規格は、主に１つの映画やプログラムをDVDなどの蓄積メディアに記録・再生するシステムで利用される。
【０００５】
同一の番組コンテンツ情報であっても、MPEG2-TS規格を利用して記録する場合と、MPEG2-PS規格を利用して記録する場合とでは、前者の方が放送で送られてくる番組付加情報等も合わせて記録できるという特徴がある。また、MPEG2-TS規格からMPEG2-PS規格への変換は可能であるが、これとは逆のMPEG2-PS規格からMPEG2-TS規格への変換は困難である。そこで、番組コンテンツ情報の記録には、通常、MPEG2のデータ規格として多数の番組コンテンツ情報の記録に適したデータ規格であるMPEG2-TS規格が利用され、情報記録媒体として大容量の情報記録媒体であるHDが利用される。
【０００６】
ところで、ユーザによっては、HDに記録されている番組コンテンツ情報のうちから、所謂お気に入りの番組コンテンツ情報である特定の番組コンテンツ情報だけをDVDに記録して保存しておきたい場合も想定され得る。このような場合、DVDへの記録には、MPEG2-PS規格（形式）の方が適しているから、HDにMPEG2-TS規格で記録されている番組コンテンツ情報をDVDへ記録し直すには、MPEG2-PS規格（形式）に変換する必要が生じる。
【０００７】
しかし、MPEG2-TS規格で多重化されたストリーム（番組コンテンツ情報）を、MPEG2-PS規格に変換するには、例えばデコーダの複雑なバッファマネージメントを再計算する必要がある等、時間が掛かるという問題がある。
【０００８】
従って本発明の第１の目的は、ユーザが所望する映像・音声データであって、映像・音声データ蓄積部に記録されるべき所定の第１の圧縮形式に変換されたものとは異なる所定の第２の圧縮形式に変換されたものが、上記とは別種類の記録媒体に比較的短時間で記録できるようにすることにある。
【０００９】
また、本発明の第２の目的は、映像・音声データ蓄積部の記録容量に、ユーザが所望する映像・音声デ−タであって、所定の第１の圧縮形式に変換したものと、上記とは別種類の記録媒体に記録し直すに際して必要な所定の第２の圧縮形式に変換したものとを共に記録する余裕がない場合に、ユーザの要求に応じたデータ規格で該映像・音声データが記録できるようにすることにある。
【課題を解決するための手段】
【００１０】
本発明の第１の観点に従う情報記録装置は、入力した複数の映像・音声データのうちからユーザが所望する映像・音声データを抽出する映像・音声データ抽出部と、上記映像・音声データ抽出部によって抽出された映像・音声データを、所定の第１の圧縮形式の映像・音声データに変換して出力する第１の映像・音声データ変換部と、上記映像・音声データ抽出部によって抽出された映像・音声データを、上記第１の圧縮形式とは異なる所定の第２の圧縮形式の映像・音声データに変換して出力する第２の映像・音声データ変換部と、上記第１の映像・音声データ変換部から出力される上記第１の圧縮形式の映像・音声データ、及び上記第２の映像・音声データ変換部から出力される上記第２の圧縮形式の映像・音声データを夫々蓄積するための映像・音声デ−タ蓄積部と、を備える。
【００１１】
本発明の第１の観点に係る好適な実施形態では、上記第１の圧縮形式が、MPEG2-TS形式であり、上記第２の圧縮形式が、MPEG2-PS形式である。
【００１２】
上記とは別の実施形態では、上記第２の映像・音声データ変換部が、ユーザから上記第２の圧縮形式の映像・音声データの取得要求があった場合にのみ、その要求に応じて上記第２の圧縮形式の映像・音声データを出力するようにしている。
【００１３】
また、上記とは別の実施形態では、上記第２の圧縮形式の映像・音声データが、上記映像・音声データ蓄積部から上記映像・音声データ蓄積部よりも記憶容量の小さい、上記情報記録装置に対して着脱が自在な記録媒体に書き込まれるようにしている。
【００１４】
本発明の第２の観点に従う情報記録装置は、入力した複数の映像・音声データ中からユーザが所望する映像・音声データを抽出する映像・音声データ抽出部と、上記映像・音声データ抽出部によって抽出された映像・音声データを、所定の第１の圧縮形式の映像・音声データに変換して出力する第１の映像・音声データ変換部と、上記映像・音声データ抽出部によって抽出された映像・音声データを、上記第１の圧縮形式とは異なる所定の第２の圧縮形式の映像・音声データに変換して出力する第２の映像・音声データ変換部と、上記第１の映像・音声データ変換部から出力される上記第１の圧縮形式の映像・音声データ、及び上記第２の映像・音声データ変換部から出力される上記第２の圧縮形式の映像・音声データを夫々蓄積するための映像・音声デ−タ蓄積部と、上記映像・音声データ蓄積部に、上記第１の圧縮形式の映像・音声データ、及び上記第２の圧縮形式の映像・音声データの双方を蓄積可能な空き容量があるかどうかを検知する空き容量検知部と、上記空き容量検知部が、上記映像・音声データ蓄積部に、上記空き容量が無いことを検知した場合に、ユーザが上記第１、第２の圧縮形式の映像・音声データの何れを所望しているかを判断する判断部と、を備え、上記判断部の判断結果に応じた圧縮形式の映像・音声データを、上記映像・音声データ蓄積部に蓄積すべく、上記第１の映像・音声データ変換部及び／又は上記第２の映像・音声データ変換部を制御するようにしている。
【００１５】
本発明の第２の観点に係る好適な実施形態では、上記判断部が、ユーザが上記第１、第２の圧縮形式の映像・音声データの何れをも所望していないと判断した場合に、上記制御部が上記第１の映像・音声データ変換部を制御するようにしている。
【００１６】
上記とは別の実施形態では、上記第１の圧縮形式が、MPEG2-TS形式であり、上記第２の圧縮形式が、MPEG2-PS形式である。
【発明の効果】
【００１７】
本発明によれば、ユーザが所望する映像・音声データであって、映像・音声データ蓄積部に記録されるべき所定の第１の圧縮形式に変換されたものとは異なる所定の第２の圧縮形式に変換されたものが、上記とは別種類の記録媒体に比較的短時間で記録できるようにすることができる。
【００１８】
また、本発明によれば、映像・音声データ蓄積部の記録容量に、ユーザが所望する映像・音声デ−タであって、所定の第１の圧縮形式に変換されたものと、上記とは別種類の記録媒体に記録し直すに際して必要な所定の第２の圧縮形式に変換したものとを共に記録する余裕がない場合に、ユーザの要求に応じたデータ規格でその映像・音声データが記録できるようにすることができる。
【発明を実施するための最良の形態】
【００１９】
以下、本発明の実施の形態を、図面により詳細に説明する。
【００２０】
図１は、本発明の一実施形態に係る情報記録装置の全体構成を示すブロック図である。
【００２１】
情報記録装置１００は、例えばディジタルテレビジョン（TV）放送電波の受信が可能なTV受像機（以下、「TV受像機」と表記する）の構成を含む。情報記録装置１００は、受信したディジタルTV放送信号等のディジタルAVデータ（ディジタル映像／音声データ）をMPEG2のデータ規格（データ形式）で記録する機能や、記録した上記ディジタルAVデータを再生する機能等を有する。
【００２２】
情報記録装置１００は、図１に示すように、入力端子１と、受信部３と、パケット分離部５と、復号化部７と、出力端子９と、MPEG2-TS記録部１１と、MPEG2-PS記録部１３と、MPEG2-TS再生部１５と、MPEG2-PSコピー部１７と、MPEG2-PS復号化部１９と、蓄積部２１と、制御部２３と、を備える。符号２５は、例えばDVD等のような、MPEG2-PS形式でディジタルデータを記録するための、情報記録装置１００に用いられる情報記録装置１００に対して着脱自在なMPEG2-PS記録媒体である。
【００２３】
入力端子１は、アンテナ（図示しない）に接続されており、アンテナ（図示しない）によって受信された複数のディジタルTV放送局（図示しない）からの（符号化されたTV放送電波である）ディジタルTV放送電波が、入力端子１を通じて受信部３へ伝送される。
【００２４】
受信部３は、制御部２３の制御下で、上記TV放送電波を入力端子１を通じて読み込むことで、上記TV放送電波に含まれる、幾つかの（符号化されたAVデータである）ディジタルAVデータが多重化され、変調された信号（以下、「映像信号」と表記する）を復調する。これと共に、受信部３は、上記TV放送電波のディジタルTV放送局（図示しない）から情報記録装置１００への伝送時に、上記映像信号に発生したエラーを訂正する。そして、エラー訂正が施された後の映像信号は、受信部３からパケット分離部５へ出力される。
【００２５】
パケット分離部５は、制御部２３の制御下で、受信部３から出力される上記映像信号を入力し、その中からユーザが所望するディジタルAVデータを選択・抽出し、該選択・抽出したディジタルAVデータを復号化部７へ出力する。
【００２６】
復号化部７は、制御部２３の制御下で、パケット分離部５から出力される上記ディジタルAVデータを（ユーザが視聴可能なように）復号化して、出力端子９へ出力する。
【００２７】
MPEG2-TS記録部１１は、制御部２３の制御下で、パケット分離部５が選択・抽出したディジタルAVデータを読み込み、該読み込んだディジタルAVデータを、（ディジタルTV放送局（図示しない）から）受信したMPEG2-TS形式に則ってMPEG2-TS形式に変換してから蓄積部２１に記録する。
【００２８】
MPEG2-PS記録部１３は、制御部２３の制御下で、パケット分離部５が選択・抽出したディジタルAVデータを読み込み、該読み込んだディジタルAVデータを、MPEG2-PS形式に変換してから蓄積部２１に記録する。
【００２９】
MPEG2-TS再生部１５は、制御部２３の制御下で、蓄積部２１にMPEG2-TS形式で蓄積されているディジタルAVデータを蓄積部２１から読み出して再生すると共に、再生したディジタルAVデータを復号化部７へ出力する。
【００３０】
MPEG2-PSコピー部１７は、制御部２３の制御下で、蓄積部２１にMPEG2-PS形式で蓄積されているディジタルAVデータを蓄積部２１から読み出して、該読み出したディジタルAVデータを、MPEG2-PS記録媒体２５へコピーする。
【００３１】
MPEG2-PS復号化部１９は、制御部２３の制御下で、MPEG2-PS記録媒体２５に（MPEG2-PS形式で）蓄積されているディジタルAVデータを再生すると共に、該再生したディジタルAVデータを、出力端子９へ出力する。
【００３２】
蓄積部２１は、例えばTV放送番組のコンテンツデータ（上述したディジタルAVデータ）を蓄積可能な大きさの記憶容量を有する。蓄積部２１は、MPEG2-TS記録部１１によってMPEG2-TS形式に変換されたディジタルAVデータを蓄積すると共に、MPEG2-PS記録部１３によってMPEG2-PS形式に変換されたディジタルAVデータを蓄積する。蓄積部２１は、MPEG2-TS再生部１５からのデータ読み出し要求に応じて、MPEG2-TS形式で蓄積しているディジタルAVデータを、MPEG2-TS再生部１５へ出力する。蓄積部２１は、また、MPEG2-PSコピー部１７からのデータ読み出し要求に応じて、MPEG2-PS形式で蓄積しているディジタルAVデータを、MPEG2-PSコピー部１７へ出力する。
【００３３】
制御部２３は、上述した情報記録装置１００を構成する各部（即ち、受信部３、パケット分離部５、復号化部７、MPEG2-TS記録部１１、MPEG2-PS記録部１３、MPEG2-TS再生部１５、MPEG2-PSコピー部１７、及びMPEG2-PS復号化部１９）を制御する。
【００３４】
次に、上記構成の情報記録装置１００における、TV放送番組のコンテンツデータの記録動作の一例を説明する。
【００３５】
アンテナ（図示しない）が、複数のディジタルTV放送局（図示しない）からのディジタルTV放送電波を受信することで、幾つかのディジタルAVデータを多重化した映像信号が、入力端子１から受信部３に入力され、該映像信号が、受信部３において復調される。制御部２３は、ユーザ所望のTV放送番組のコンテンツデータが得られるよう、パケット分離部５を制御すると共に、得られたTV放送番組のコンテンツデータをMPEG2-TS形式、及びMPEG2-PS形式で夫々記録するために、MPEG2-TS記録部１１、及びMPEG2-PS記録部１３を制御する。
【００３６】
これにより、MPEG2-TS記録部１１は、得られたTV放送番組のコンテンツデータを、（ディジタルTV放送局（図示しない）から）受信したMPEG2-TS形式に則ってMPEG2-TS形式に変換してから蓄積部２１に記録する。他方、MPEG2-PS記録部１３は、得られたTV放送番組のコンテンツデータを、MPEG2-PS形式のコンテンツデータに変換してから蓄積部２１に記録する。
【００３７】
このようにして、同一のTV放送番組のコンテンツデータを記録する度に、該コンテンツデータを、MPEG2-TS形式とMPEG2-PS形式とに夫々変換してから、蓄積部２１に記録することになる。
【００３８】
次に、上記構成の情報記録装置１００における、TV放送番組のコンテンツデータのMPEG2-PS記録媒体２５へのコピー動作の一例を説明する。
【００３９】
制御部２３は、蓄積部２１に蓄積されているMPEG2-PS形式データを、MPEG2-PS記録媒体２５へコピーするためにMPEG2-PSコピー部１７を制御する。MPEG2-PSコピー部１７は、蓄積部２１にMPEG2-PS形式で蓄積されている上記TV放送番組のコンテンツデータを読み出すと共に、該読み出したコンテンツデータをMPEG2-PS記録媒体２５に書き込む。これにより、蓄積部２１に蓄積されているTV放送番組のコンテンツデータをMPEG2-PS記録媒体２５へコピーすべき旨の要求があった場合に、事前にMPEG2-PS形式に変換して蓄積部２１に蓄積しておいたTV放送番組のコンテンツデータを使用することができるため、上記コピー動作に際してのMPEG2-PS形式への変換が不要となるから、コピー時の処理時間を短縮することができる。
【００４０】
上述したように、TV放送番組のコンテンツデータを、情報記録装置１００に記録する時点でMPEG2-TS形式とMPEG2-PS形式とに夫々変換して双方とも蓄積部２１に蓄積しておくことにより、後で蓄積部２１からMPEG2-PS記録媒体２５にTV放送番組のコンテンツデータをコピーする場合の処理時間を短縮することができるので、ユーザの使い勝手を向上させることが可能になる。
【００４１】
図２は、図１に記載の情報記録装置１００が有するTV放送番組コンテンツデータの記録モード設定画面の一例を示す図である。
【００４２】
図２で示した記録モード設定画面２７では、ユーザが、所望するTV放送番組のコンテンツデータを、MPEG2-TS形式だけに変換して（情報記録装置１００の）蓄積部２１に記録するモードか、又は上記TV放送番組のコンテンツデータをMPEG2-TS形式、及びMPEG2-PS形式に夫々変換して、それらを記録するモードの何れか一方が択一的に設定することが可能なようになっている。
【００４３】
図３は、図１に記載の情報記録装置１００における、TV放送番組のコンテンツデータの記録動作の一例を示すフローチャートである。
【００４４】
図３において、まず、ユーザから所望のTV放送番組のコンテンツデータについて記録要求があったかどうかチェックする（ステップＳ１０１）。このチェックの結果、記録要求があったことを認識すると（ステップＳ１０１でYES）、ユーザが図２で示した記録モード設定画面２７において、上記コンテンツデータをMPEG2-TS形式、及びMPEG2-PS形式で記録するモードを選択したかどうか（即ち、MPEG2-PS形式での記録要求があるかどうか）チェックする（ステップＳ１０２）。
【００４５】
このチェックの結果、MPEG2-PS形式での記録要求があることを認識すると（ステップＳ１０２でYES）、上記コンテンツデータをMPEG2-TS形式とMPEG2-PS形式とに夫々変換した後、それらコンテンツデータの双方を、蓄積部２１に書き込むことになる（ステップＳ１０３）。一方、上記チェックの結果、MPEG2-PS形式での記録要求が無ければ（ステップＳ１０２でNO）、MPEG2-TS形式に変換した後の上記コンテンツデータだけを、蓄積部２１に書き込むことになる（ステップＳ１０４）。
【００４６】
図４は、図１に記載の情報記録装置１００における、TV放送番組のコンテンツデータの記録モード設定画面の変形例を示す図である。
【００４７】
図４で示した記録モード設定画面１０５は、ユーザ所望のTV放送番組のコンテンツデータを、MPEG2-TS形式、及びMPEG2-PS形式の双方の形式で記録するモードに設定されていることを前提として、蓄積部２１が記憶容量不足の場合に情報記録装置１００の表示部（図示しない）に表示される画面である。記録モード設定画面１０５には、MPEG2-TS形式、MPEG2-PS形式の何れか一方を優先させるための優先記録モード設定用の手段として、MPEG2-TS形式での記録モード設定用のソフトキー１０５ａと、MPEG2-PS形式での記録モード設定用のソフトキー１０５ｂとが含まれている。ソフトキー１０５ａは、上記コンテンツデータをMPEG2-TS形式に変換して記録するモードを選択する場合に、ソフトキー１０５ｂは、上記コンテンツデータをMPEG2-PS形式に変換して記録するモードを選択する場合に、夫々ユーザによってタッチ操作される。なお、記録モード設定画面１０５が表示されている状態で、ユーザが何れのソフトキー（１０５ａ、１０５ｂ）もタッチ操作しなかった場合には、MPEG2-TS形式がデフォルトで設定される。
【００４８】
図５は、図１に記載の情報記録装置１００における、TV放送番組のコンテンツデータの記録動作の変形例を示すフローチャートである。
【００４９】
本変形例でも、上述した本発明の一実施形態におけると同様、図１で示した蓄積部２１の記憶容量に空きがある場合には、受信したTV放送番組のコンテンツデ−タを、情報記録装置１００に記録する時点でMPEG2-TS形式とMPEG2-PS形式とに夫々変換して双方とも蓄積部２１に蓄積するようにする。しかし、蓄積部２１の記憶容量に空きが少ない場合には、上記コンテンツデータをMPEG2-TS形式、MPEG2-PS形式の何れの形式に変換して蓄積部２１に蓄積するかを、ユーザの選択に委ねるようにする。この点で、上述した本発明の一実施形態と相違する。
【００５０】
図５において、まず、ユーザからTV放送番組のコンテンツデータの記録要求があったかどうかチェックする（ステップＳ１１１）。そして、このチェックの結果、記録要求があったことを認識すると（ステップＳ１１１でYES）、蓄積部２１の記憶容量に、ユーザ所望のTV放送番組のコンテンツデータであって、MPEG2-TS形式とMPEG2-PS形式とに夫々変換したコンテンツデータの双方を蓄積できるだけの空き容量があるかどうかチェックする（ステップＳ１１２）。このチェックの結果、蓄積部２１の記憶容量に空き容量が少なければ（ステップＳ１１２でNO）、次に、ユーザから所望のTV放送番組のコンテンツデータをMPEG2-TS形式、又はMPEG2-PS形式の何れか一方で記録すべき旨の指示、即ち、優先記録指定の指示が無く、且つ、蓄積部２１に上記コンテンツデータをMPEG2-TS形式で記録するだけの空き容量があるかどうかチェックする。このチェックは、例えば図４で示した記録モード設定画面１０５のソフトキー（１０５ａ、１０５ｂ）が、ユーザによってタッチ操作されたかどうかを検知することによって行われる（ステップＳ１１３）。
【００５１】
このチェックの結果、蓄積部２１に上記コンテンツデータをMPEG2-TS形式で記録するだけの空き容量があるかどうかはともかくとして、少なくとも優先記録指定の指示についてはあると認識した場合には（ステップＳ１１３でNO）、次に、MPEG2-TS形式での優先記録指定の指示かどうか、及び蓄積部２１に上記コンテンツデータをMPEG2-TS形式で記録するだけの空き容量があるかどうかチェックする。このチェックも、例えば図４で示した記録モード設定画面１０５のソフトキー（１０５ａ、１０５ｂ）が、ユーザによってタッチ操作されたかどうかを検知することによって行われる（ステップＳ１１４）。
【００５２】
このチェックの結果、MPEG2-TS形式での優先記録指定の指示では無く、且つ、蓄積部２１に上記コンテンツデータをMPEG2-TS形式で記録するだけの空き容量も無いと認識した場合には（ステップＳ１１４でNO）、MPEG2-PS形式での優先記録指定の指示かどうか、及び蓄積部２１に上記コンテンツデータをMPEG2-PS形式で記録するだけの空き容量があるかどうかチェックする（ステップＳ１１５）。
【００５３】
このチェックの結果、優先記録指定の指示がMPEG2-PSで、且つ、蓄積部２１に上記コンテンツデータをMPEG2-PS形式で記録するだけの空き容量があると認識した場合には（ステップＳ１１５でYES）、上記コンテンツデータをMPEG2-PS形式に変換した後、蓄積部２１に書き込むことになる（ステップＳ１１６）。これにより、一連の処理動作が終了する。蓄積部２１に、上記コンテンツデータをMPEG2-PS形式で記録するだけの空き容量が無ければ（ステップＳ１１５でNO）、蓄積部２１への上記コンテンツデータの書き込みは行わずに、一連の処理動作を終了する。
【００５４】
次に、優先記録指定の指示がMPEG2-TS形式で、且つ、蓄積部２１に上記コンテンツデータをMPEG2-TS形式で記録するだけの空き容量があると認識した場合には（ステップＳ１１４でYES）、上記コンテンツデータをMPEG2-TS形式に変換した後、蓄積部２１に書き込むことになる（ステップＳ１１７）。これにより、一連の処理動作が終了する。優先記録指定の指示が無く、且つ、蓄積部２１に、上記コンテンツデータをMPEG2-TS形式で記録するだけの空き容量があると認識した場合にも（ステップＳ１１３でYES）、上記コンテンツデータをMPEG2-TS形式に変換した後、蓄積部２１に書き込むことになる（ステップＳ１１７）。蓄積部２１の記憶容量に、上記コンテンツデータと同一のコンテンツデータであって、MPEG2-TS形式とMPEG2-PS形式とに夫々変換したコンテンツデータの双方を蓄積できるだけの空き容量があれば（ステップＳ１１２でYES）、上記MPEG2-TS形式とMPEG2-PS形式とに夫々変換したコンテンツデータの双方を、蓄積部２１に書き込んで（ステップＳ１１８）、一連の処理動作が終了することになる。
【００５５】
以上、本発明の好適な実施形態、及びその変形例を説明したが、これらは本発明の説明のための例示であって、本発明の範囲をこの実施形態、及び変形例にのみ限定する趣旨ではない。本発明は、他の種々の形態でも実施することが可能である。
【図面の簡単な説明】
【００５６】
【図１】本発明の一実施形態に係る情報記録装置の全体構成を示すブロック図。
【図２】図１に記載した情報記録装置が有するTV放送番組コンテンツデータの記録モード設定画面の一例を示す図。
【図３】図１に記載した情報記録装置における、TV放送番組のコンテンツデータの記録動作の一例を示すフローチャート。
【図４】図１に記載した情報記録装置における、TV放送番組のコンテンツデータの記録モード設定画面の変形例を示す図。
【図５】図１に記載した情報記録装置における、TV放送番組のコンテンツデータの記録動作の変形例を示すフローチャート。
【符号の説明】
【００５７】
１  入力端子
３  受信部
５  パケット分離部
７  復号化部
９  出力端子
１１  MPEG2-TS記録部
１３  MPEG2-PS記録部
１５  MPEG2-TS再生部
１７  MPEG2-PSコピー部
１９  MPEG2-PS復号化部
２１  蓄積部
２３  制御部
２５  （情報記録装置１００に用いられる）MPEG2-PS記録媒体
２７、１０５  （TV放送番組のコンテンツデータの）記録モード設定画面
１００  情報記録装置
【図１】
2006050150.tif 000003
【図２】
2006050150.tif 000004
【図３】
2006050150.tif 000005
【図４】
2006050150.tif 000006
【図５】
2006050150.tif 000007